(57)【要約】【課題】防漏シートの可動部によって両側部の外側への排泄物の漏出を確実に阻止することができる使い捨て着用物品を提供する。【解決手段】使い捨て着用物品では、液抵抗性防漏シート３２の可動部３４が肌当接面から上方へ延びる起立部分３７と横方向へ張り出す張出部分３８とを有する。張出部分３８は、横方向内側へ張り出す第１張出部分４０と、横方向外側へ張り出す第２張出部分４１とから形成されている。それら張出部分４０，４１には、縦方向へ延びていて横方向へ等間隔で並ぶ同一伸長倍率の５条の第１〜第５弾性部材４２ａ〜４２ｅが取り付けられ、それら弾性部材４２ａ〜４２ｅの収縮によって縦方向へ一様に起伏を繰り返す規則的な多数の皺４５が形成されている。【選択図】図３
2006247272.tif 000002
【特許請求の範囲】
【請求項１】
前胴周り域および後胴周り域と、それら胴周り域の間に位置する股下域と、横方向へ延びる前後端部および縦方向へ延びる両側部とを有し、互いに対向して縦方向へ延びる一対の液抵抗性防漏シートが前記両側部に取り付けられ、前記防漏シートが、前記側部に位置して縦方向へ延びる固定部と、前記固定部に並行して縦方向へ延びていて前記物品の肌当接面の上方へ起立性向を有する伸縮性可動部と、前記前後胴周り域に位置して横方向へ倒伏した固定前後端部とから形成された使い捨て着用物品において、
前記可動部が、前記肌当接面から上方へ延びる起立部分と、前記起立部分の上方に連なって前記肌当接面と並行する張出部分とを有し、縦方向へ延びていて横方向へ等間隔で並ぶ同一伸長倍率の複数条の伸縮性弾性部材が、前記張出部に伸縮可能に取り付けられ、縦方向へ一様に起伏を繰り返す多数の皺が、前記張出部分に形成されていることを特徴とする前記着用物品。
【請求項２】
前記張出部分が、前記起立部分の上方で折れ曲がり、前記物品の横方向外側へ張り出している請求項１記載の着用物品。
【請求項３】
前記張出部分が、前記起立部分の上方で折れ曲がって横方向内側へ張り出す第１張出部分と、前記起立部分の上方で折れ曲がって横方向外側へ張り出す第２張出部分とから形成されている請求項１記載の着用物品。
【請求項４】
前記張出部分の横方向の寸法が、１０〜３０ｍｍの範囲にあり、横方向へ隣り合う前記弾性部材どうしの該横方向の離隔寸法が、４．０〜９．０ｍｍの範囲にある請求項１ないし請求項３いずれかに記載の着用物品。
【請求項５】
前記皺の上端から下端までの寸法が、１．０〜３．０ｍｍの範囲にある請求項１ないし請求項４いずれかに記載の着用物品。
【請求項６】
縦方向へ隣り合う前記皺どうしの該縦方向の離隔寸法が、０．５〜１．５ｍｍの範囲にあり、前記張出部分の縦寸法５０ｍｍの中に形成された前記皺の個数が、１０〜３０個の範囲にある請求項１ないし請求項５いずれかに記載の着用物品。
【発明の詳細な説明】
【技術分野】
【０００１】
本発明は、排泄物を吸収保持する使い捨て着用物品に関する。
【背景技術】
【０００２】
透液性表面シートおよび不透液性裏面シートと、表裏面シートの間に介在する吸液性コアとから形成され、前胴周り域および後胴周り域と、それら胴周り域の間に位置する股下域と、横方向へ延びる前後端部および縦方向へ延びる両側部とを有し、互いに対向して縦方向へ延びる一対の液抵抗性防漏シートが両側部の肌当接面に取り付けられた使い捨て着用物品がある（特許文献１参照）。
【０００３】
防漏シートには、１枚の疎水性繊維不織布が使用されている。防漏シートは、物品の側部に固着されて縦方向へ延びる固定部と、固定部に並行して縦方向へ延びる可動部と、物品の横方向内側に倒伏して前後端部に固着された固定前後端部とから形成されている。可動部の上端縁には、縦方向へ延びる１条の伸縮性弾性部材が伸縮可能に取り付けられている。この物品では、弾性部材の収縮によって可動部が表面シートの上方へ起き上がり、可動部が排泄物の横漏れを防止する障壁を形成する。
【特許文献１】特開２００２−６５７３０号公報
【発明の開示】
【発明が解決しようとする課題】
【０００４】
前記特許文献１に開示の着用物品では、防漏シートの可動部の剛性が低く、物品の着用中に着用者の体圧が可動部にかかると、表面シートの上方へ起き上がった可動部が表面シートに向かって容易に座屈し、排泄物が可動部を乗り越えて両側部の外側へ漏出する場合がある。また、この物品は、防漏シートの可動部が表面シートの上方へ向かって略直立するから、可動部の上端縁近傍のみが着用者の肌に線接触し、物品の着用中に可動部と着用者の肌との間に隙間が生じ易い。可動部と肌との間に隙間が生じると、排泄物が隙間から両側部の外側へ漏出する場合がある。
【０００５】
本発明の目的は、防漏シートの可動部と着用者の肌との間に隙間が生じることはなく、可動部によって両側部の外側への排泄物の漏出を確実に阻止することができる使い捨て着用物品を提供することにある。
【課題を解決するための手段】
【０００６】
前記課題を解決するための本発明の前提は、前胴周り域および後胴周り域と、それら胴周り域の間に位置する股下域と、横方向へ延びる前後端部および縦方向へ延びる両側部とを有し、互いに対向して縦方向へ延びる一対の液抵抗性防漏シートが両側部に取り付けられ、防漏シートが、側部に位置して縦方向へ延びる固定部と、固定部に並行して縦方向へ延びていて物品の肌当接面の上方へ起立性向を有する伸縮性可動部と、前後胴周り域に位置して横方向へ倒伏した固定前後端部とから形成された使い捨て着用物品である。
【０００７】
前記前提における本発明の特徴は、可動部が、前記肌当接面から上方へ延びる起立部分と、起立部分の上方に連なって肌当接面と並行する張出部分とを有し、縦方向へ延びていて横方向へ等間隔で並ぶ同一伸長倍率の複数条の伸縮性弾性部材が張出部に伸縮可能に取り付けられ、縦方向へ一様に起伏を繰り返す多数の皺が張出部分に形成されていることにある。
【０００８】
本発明の実施態様の一例は、張出部分が起立部分の上方で折れ曲がり、張出部分が物品の横方向外側へ張り出している。
【０００９】
本発明の実施態様の他の一例は、張出部分が、起立部分の上方で折れ曲がって横方向内側へ張り出す第１張出部分と、起立部分の上方で折れ曲がって横方向外側へ張り出す第２張出部分とから形成されている。
【００１０】
本発明の実施態様の他の一例は、張出部分の横方向の寸法が１０〜３０ｍｍの範囲にあり、横方向へ隣り合う弾性部材どうしの該横方向の離隔寸法が４．０〜９．０ｍｍの範囲にある。
【００１１】
本発明の実施態様の他の一例は、皺の上端から下端までの寸法が１．０〜３．０ｍｍの範囲にある。
【００１２】
本発明の実施態様の他の一例は、縦方向へ隣り合う前記皺どうしの該縦方向の離隔寸法が０．５〜１．５ｍｍの範囲にあり、張出部分の縦寸法５０ｍｍの中に形成された皺の個数が１０〜３０個の範囲にある。
【発明の効果】
【００１３】
本発明に係る使い捨て着用物品によれば、肌当接面から上方へ延びる可動部の起立部分が排泄物に対する障壁を形成しつつ、肌当接面に並行する可動部の張出部分が着用者の肌に面接触するから、張出部分が着用者の肌に密着し、可動部と肌との間に隙間が生じることはなく、可動部が両側部の外側への排泄物の漏出を確実に阻止する。この物品は、可動部の張出部分に縦方向へ起伏を繰り返して並ぶ一様かつ規則的な多数の皺が形成され、皺によって張出部分の剛性が増加するから、着用者の体圧が張出部分にかかったとしても、張出部分が座屈し難く、張出部分の着用者の肌への密着状態を確実に維持することができる。
【００１４】
張出部分が起立部分の上方から折れ曲がって物品の横方向外側へ張り出す着用物品は、その着用中に起立部分に対して略直交する張出部分が着用者の肌に確実に面接触するから、張出部分が着用者の肌に密着し、可動部と肌との間に隙間が生じることはなく、可動部が両側部の外側への排泄物の漏出を確実に阻止する。この物品は、防漏シートの可動部が排泄物に対する障壁として十分に機能し、可動部を利用して排泄物の横漏れを確実に防ぐことができる。
【００１５】
張出部分が起立部分の上方から横方向内側へ張り出す第１張出部分と起立部分の上方から横方向外側へ張り出す第２張出部分とから形成された着用物品は、物品の着用中に起立部分に対して略直交する張出部分が着用者の肌に確実に面接触するから、可動部が着用者の肌に密着し、可動部と肌との間に隙間が生じることはなく、可動部が両側部の外側への排泄物の漏出を確実に阻止する。この物品は、防漏シートの可動部が排泄物に対する障壁として十分に機能し、可動部を利用して排泄物の横漏れを確実に防ぐことができる。
【発明を実施するための最良の形態】
【００１６】
添付の図面を参照し、本発明に係る使い捨て着用物品の詳細を説明すると、以下のとおりである。
【００１７】
図１，２は、一例として示す着用物品２０の斜視図と、図１の２−２線矢視断面図とであり、図３，４は、図１の３−３線矢視断面図と、防漏シート３２の一部を拡大して示す部分拡大図とである。図５は、図４の５−５線端面図である。図１では、縦方向を矢印Ｌ、横方向を矢印Ｍで示し、厚み方向を矢印Ｎで示す。なお、表面シート２７や裏面シート２８、防漏シート３２の内面とは、コア２９に対向する面をいい、それらシート２７，２８，３２の外面とは、コア２９に非対向の面をいう。
【００１８】
物品２０は、縦方向に前胴周り域２１および後胴周り域２３と、それら胴周り域２１，２３の間に位置する股下域２２とを有し、前後胴周り域２１，２３に横方向へ延びる前後端部２４，２５と、前後胴周り域２１，２３間に縦方向へ延びる両側部２６とを有する。物品２０は、肌当接面の側に位置する透液性表面シート２７と、肌非当接面の側に位置する不透液性裏面シート２８と、それらシート２７，２８の間に介在する吸液性コア２９とから形成されている。股下域２２の両側部２６は、横方向内方へ向かって弧を画いている。物品２０は、図１に示すように、その平面形状が砂時計型である。この物品２０は、着用時に前後胴周り域２１，２３を連結するオープン型である。
【００１９】
表面シート２７には、親水性繊維不織布が使用されている。裏面シート２８には、互いに重なり合う２枚の疎水性繊維不織布をラミネートした複合不織布が使用されている。コア２９は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。コア２９は、その型崩れやポリマーの脱落を防止するため、全体がティッシュペーパー（図示せず）に包被されている。コア２９は、ティッシュペーパーを介して表裏面シート２７，２８の内面に接合されている。ポリマーには、デンプン系、セルロース系、合成ポリマー系のそれが使用されている。前後端部２４，２５には、横方向へ延びる帯状の胴周り用弾性部材３０が伸縮可能に取り付けられている。両側部２６には、縦方向へ延びる複数条の脚周り用弾性部材３１が伸縮可能に取り付けられている。両側部２６には、横方向へ離間対向して縦方向へ延びる一対の液抵抗性防漏シート３２が取り付けられている。防漏シート３２には、疎水性繊維不織布が使用されている。
【００２０】
防漏シート３２は、側部２６に位置して縦方向へ延びる固定部３３と、固定部３３に並行して縦方向へ延びていて表面シート２７の外面（肌当接面）から上方へ起立性向を有する可動部３４（伸縮性可動部）と、可動部３４の縦方向前方に位置する固定前端部３５と、可動部３４の縦方向後方に位置する固定後端部３６とから形成されている。固定部３３は、側部２６に固着されている。固定前端部３５は、物品２０の横方向内側と横方向外側とへ倒伏し、前端部２４に固着されている。固定後端部３６は、物品２０の横方向内側と横方向外側とへ倒伏し、後端部２５に固着されている。可動部３４は、表面シート２７の外面から物品２０の厚み方向上方へ延びる起立部分３７と、起立部分３７の上方に連なる張出部分３８とを有する。張出部分３８は、肌当接面と並行するように起立部分３７の上端３９で折れ曲がり、物品２０の横方向内側へ張り出す第１張出部分４０と、肌当接面と並行するように起立部分３７の上端３９で折れ曲がり、物品２０の横方向外側へ張り出す第２張出部分４１とから形成されている。張出部分４０，４１は、起立部分３７に対して略直交している。張出部分３８には、縦方向へ延びる５条の第１〜第５弾性部材４２ａ〜４２ｅ（伸縮性弾性部材）が伸縮可能に取り付けられている。
【００２１】
それら弾性部材４２ａ〜４２ｅは、横方向へ等間隔で並んでいる。第１弾性部材４２ａは、第１張出部分４０の内端縁４３に位置している。第２弾性部材４２ｂは、第１張出部分４０の横寸法を二等分した箇所（張出部分４０の横方向中央）に位置している。第３弾性部材４２ｃは、張出部分３８の横寸法を二等分した箇所（張出部分３８の横方向中央）であって、起立部分３７の直上に位置している。第４弾性部材４２ｄは、第２張出部分４１の横寸法を二等分した箇所（張出部分４１の横方向中央）に位置している。第５弾性部材４２ｅは、第２張出部分４１の外端縁４４に位置している。第１〜第５弾性部材４２ａ〜４２ｅは、縦方向へ所定の倍率に伸長された状態で防漏シート３２に接合されている。なお、それら弾性部材４２ａ〜４２ｅをシート３２に接合するときの弾性部材４２ａ〜４２ｅの伸長倍率は全て同一である。弾性部材４２ａ〜４２ｅは、その全体が防漏シート３２に包被されている。
【００２２】
弾性部材４２ａ〜４２ｅを防漏シート３２に接合した後、それら弾性部材４２ａ〜４２ｅの伸長が解除されることで、弾性部材４２ａ〜４２ｅが収縮する。第１および第２張出部分４０，４１には、弾性部材４２ａ〜４２ｅの収縮によって、縦方向へ一様に起伏を繰り返す規則的な多数の皺４５が形成されている。防漏シート３２では、弾性部材４２ａ〜４２ｅが収縮すると、物品２０が表面シート２７を内側にして湾曲し、可動部３４が表面シート２７の上方へ起き上がる。可動部３４のうちの起立部分３７は、物品２０の厚み方向上方へ延び、表面シート２７の外面から略直立する。可動部３４のうちの第１張出部分４０は、表面シート２７の上方に位置しつつ、起立部分３７の上端３９から物品２０の横方向内側へ延びる。可動部３４のうちの第２張出部分４１は、表面シート２７の上方に位置しつつ、起立部分３７の上端３９から物品２０の横方向外側へ延びる。可動部３４は、排泄物の横方向への流動を阻止する障壁を形成する。張出部分３８に形成されたそれら皺４５は、その上端４６から下端４７までの寸法Ｒが略同一であり、縦方向へ隣り合う皺４５どうしの縦方向の離隔寸法Ｓが略同一である。第１および第２張出部分４０，４１は、それら部分４０，４１に形成された多数の皺４５によって、皺４５が形成されていない場合と比較し、その剛性が増加する。
【００２３】
前後端部２４，２５は、コア２９の端縁４８から縦方向外方へ延びる表裏面シート２７，２８の端部４９，５０と防漏シート３２の端部３５，３６とから形成されている。前後端部２４，２５では、それらシート２７，２８，３２の端部３５，３６，４９，５０が重なり合い、表裏面シート２７，２８の内面どうしが固着され、表面シート２７の外面と防漏シート３２の内面とが固着されている。胴周り用弾性部材３０は、表面シート２７と裏面シート２８との間に介在し、横方向へ所定の倍率に伸長させた状態でそれらシート２７，２８の内面に接合されている。両側部２６は、コア２９の側縁５１から横方向外方へ延びる表裏面シート２７，２８の側部５２，５３と防漏シート３２の固定部３３とから形成されている。両側部２６では、表面シート２７の側部５２がコア２９の側縁５１から横方向外方へわずかに延び、側部５２からさらに横方向外方へ裏面シート２８の側部５３と防漏シート３２の固定部３３とが延びている。両側部２６では、表裏面シート２７，２８の側部５２，５３と防漏シート３２の固定部３３とが重なり合い、表裏面シート２７，２８の内面どうしが固着され、表裏面シート２７，２８の内外面と防漏シート３２の内面とが固着されている。脚周り用弾性部材３１は、裏面シート２８と防漏シート３２との間に介在し、縦方向へ所定の倍率に伸長させた状態でそれらシート２８，３２の内面に接合されている。
【００２４】
後胴周り域２５の両側部２６には、プラスチックフィルムから形成された可撓性のテープファスナ５４が取り付けられている。テープファスナ５４は、横方向へ延びる固定端部５５と自由端部５６とを有する。固定端部５５は、裏面シート２８の側部５３と防漏シート３２の固定部３３との間に介在し、それらシート２８，３２の内面に固着されている。自由端部５６の内面には、複数のフックを有する雄型メカニカルファスナ５７が取り付けられている。前胴周り域２４には、テープファスナ５４の自由端部５６を着脱可能に止着する可撓性のターゲットテープ５８が取り付けられている。ターゲットテープ５８には、プラスチックフィルムとフィルムから突出する複数のループとから形成された雌型メカニカルファスナが使用されている。ターゲットテープ５８は、裏面シート２８の外面に固着されている。
【００２５】
この物品２０を着用する手順の一例は、以下のとおりである。股下域２２における表面シート２７の外面に着用者の臀部を乗せ、股下域２２を折り曲げて前胴周り域２１を着用者の腹部の上に乗せる。次に、後胴周り域２３の両側部２６が着用者の腹部の上に位置するように、後胴周り域２３の両側部２６を前胴周り域２１の両側部２６の外側に重ね合わせ、テープファスナ５４の自由端部５６をターゲットテープ５８に止着し、前胴周り域２１と後胴周り域２３とを連結する。前後胴周り域２１，２３が連結された物品２０には、胴周り開口と一対の脚周り開口とが形成される（図示せず）。物品２０を着用すると、横方向内側と横方向外側とへ張り出す防漏シート３２の張出部分３８が着用者の肌に面接触する。物品２０の着用中に排泄された排泄物は、表面シート２７を透過してコア２９に吸収保持される。
【００２６】
物品２０は、防漏シート３２の可動部３４のうちの表面シート２７の外面から上方へ延びる起立部分３７が排泄物に対する障壁を形成しつつ、可動部３４のうちの第１および第２張出部分４０，４１が着用者の肌に面接触するから、張出部分３８全体が着用者の肌に密着し、張出部分３８と肌との間に隙間が生じることはなく、可動部３４を利用して両側部２６の外側への排泄物の漏出を確実に阻止することができる。この物品２０は、第１および第２張出部分４０，４１に縦方向へ起伏を繰り返して並ぶ一様かつ規則的な多数の皺４５が形成され、それら皺４５によって張出部分３８の剛性が増加するから、着用者の体圧が張出部分３８にかかったとしても、部分３８が座屈し難く、部分３８の着用者の肌への密着状態を確実に維持することができる。
【００２７】
物品２０では、張出部分３８の横方向の寸法Ｐが１０〜３０ｍｍの範囲にあり、横方向へ隣り合う弾性部材４２ａ〜４２ｅどうしの該横方向の離隔寸法Ｑが４．０〜９．０ｍｍの範囲にある。寸法Ｐが３０ｍｍを超過すると、横方向内側と横方向外側とへ張り出す張出部分４０，４１が物品２０の厚み方向下方へ倒伏し、張出部分３８を着用者の肌に面接触させることができず、張出部分３８と肌との間に隙間が生じてしまう場合がある。離隔寸法Ｑが９．０ｍｍを超過すると、弾性部材４２の収縮力を利用して張出部分３８全体に一様かつ規則的な多数の皺４５を形成することが難しく、皺４５を利用して張出部分３８の剛性を増加させることができない。
【００２８】
物品２０では、皺４５の上端４６から下端４７までの寸法Ｒが１．０〜３．０ｍｍの範囲にある。寸法Ｒが１．０ｍｍ未満では、張出部分３８に形成される皺４５が縮緬状かつ不規則となり、部分３８の剛性を増加させることができない。寸法Ｒが３．０ｍｍを超過すると、張出部分３８に形成される皺４５が必要以上に大きくなり、部分３８の剛性を増加させることができない。物品２０では、縦方向へ隣り合う皺４５どうしの縦方向の離隔寸法Ｓが０．５〜１．５ｍｍの範囲にある。離隔寸法Ｓが０．５ｍｍ未満では、縦方向へ並ぶ皺４５が密となり、張出部分３８の剛性が必要以上に増加し、着用者の肌に接触する張出部分３８が肌に不快な刺激を与える。離隔寸法Ｓが１．５ｍｍを超過すると、張出部分３８に形成される皺４５が必要以上に大きくなり、部分３８の剛性を増加させることができない。物品２０は、張出部分３８の縦寸法５０ｍｍの中に形成された皺４５の個数が１０〜３０個の範囲にある。皺４５の個数が１０個未満では、張出部分３８に形成される皺４５の個数が少なく、部分３８の剛性を増加させることができない。皺４５の個数が５０個を超過すると、縦方向へ並ぶ皺４５が密となり、張出部分３８の剛性が必要以上に増加し、着用者の肌に接触する張出部分３８が肌に不快な刺激を与える。物品２０は、皺４５の上端４６から下端４７までの寸法Ｒや縦方向へ隣り合う皺４５どうしの縦方向の離隔寸法Ｓ、張出部分３８の縦寸法５０ｍｍの中に形成された皺４５の個数が前記範囲にあるから、部分３８の剛性を適度に増加させることができ、物品２０に着用中に部分３８が座屈し難く、部分３８を着用者の肌に確実に面接触させることができる。
【００２９】
図６，７は、他の一例として示す使い捨て着用物品６０の部分破断斜視図と、前後胴周り域６３，６５の連結を解除した状態で示す図６の物品６０の展開平面図とであり、図８，９は、図６の８−８線矢視断面図と、図６の９−９線矢視断面図とである。図１０，１１は、防漏シート１０１，１０２の一部を拡大して示す部分拡大図と、図１０の１１−１１線端面図とである。図６，７では、縦方向を矢印Ｌで示し、横方向を矢印Ｍで示す。図８，９では、厚み方向を矢印Ｎで示す。なお、表面シート９１や第１および第２裏面シート６１，９２、防漏シート１０１，１０２の内面とは、コア９３に対向する面をいい、それらシート６１，９１，９２，１０１，１０２の外面とは、コア９３に非対向の面をいう。
【００３０】
物品６０は、不透液性第１裏面シート６１と、裏面シート６１の内面に配置されたインナーパネル６２とから形成されている。物品６０は、互いに対向する前胴周り域６３および後胴周り域６５と、それら胴周り域６３，６５の間に位置する股下域６４とを有し、前後胴周り域６３，６５に横方向へ延びる前後端部６６，６７と、前後胴周り域６３，６５間に縦方向へ延びる両側部６８とを有する。裏面シート６１は、前後端部６６，６７と両側部６８とを含む前後胴周り域６３，６５および股下域６４を画成し、物品６０の全体形状を形作っている。物品６０では、前後胴周り域６３，６５の両側部６８ａ，６８ｇが合掌状に重なり合い、それら両側部６８ａ，６８ｇが縦方向へ並ぶ多数の熱融着線６９を介して固着されている。物品６０は、図６に示すように、前後胴周り域６３，６５が連結されたパンツ型であり、胴周り開口７０と一対の脚周り開口７１とを有する。
【００３１】
図７には、股下域６４の縦寸法を二等分して横方向へ延びる横中心線７２（一点鎖線）と、物品６０の横寸法（両側部６８間の横寸法）を二等分して縦方向へ延びる縦中心線７３（一点鎖線）とが仮想されている。股下域６４は、前胴周り域６３と横中心線７２との間に延びる前半分７４、横中心線７２と後胴周り域６５との間に延びる後半分７５に区分されている。さらに、図７には、股下域６４の前半分７４の縦寸法を四等分して横方向へ延びる第１〜第４分割線７６〜７９（二点鎖線）が仮想されている。前半分７４は、前胴周り域６３の側から横中心線７２に向かって、第１分割線７６と第２分割線７７との間に延びる第１前半分８０、第２分割線７７と第３分割線７８との間に延びる第２前半分８１、第３分割線７８と第４分割線７９との間に延びる第３前半分８２、第４分割線７９と横中心線７２との間に延びる第４前半分８３に区分されている。
【００３２】
股下域６４の第１前半分８０に延びる両側部６８ｂは、横中心線７２（第１分割線７６）と略平行するように横方向へ延在しつつ、前胴周り域６３から第２前半分８１に向かうにつれて縦中心線７３へ次第に接近している。股下域６４の第２および第３前半分８１，８２に延びる両側部６８ｃ，６８ｄは、縦中心線７３と平行するように縦方向へ延在している。股下域６４の第４前半分８３と後半分７５とに延びる両側部６８ｅ，６８ｆは、縦中心線７３と略平行するように縦方向へ延在しつつ、後胴周り域６５の側から第３前半分８２に向かうにつれて縦中心線７３へ次第に接近している。物品６０は、股下域６４の両側部６８ｂ，６８ｃ，６８ｄ，６８ｅ，６８ｆが横方向内側へ実質的に弧を画いており、その平面形状が砂時計型である。
【００３３】
裏面シート６１には、互いに重なり合う２枚の疎水性繊維不織布をラミネートした複合不織布が使用されている。前後端部６６，６７は、裏面シート６１の端部８４から形成されている。前後端部６６，６７には、胴周り開口７０に沿って横方向へ延びる複数条の胴周り用弾性部材８４が伸縮可能に取り付けられている。胴周り用弾性部材８５は、裏面シート６１を形成する不織布の間に介在し、所定の倍率に伸長された状態でそれら不織布に接合されている。両側部６８は、裏面シート６１の側部８６と後記するパネル６２の側部９９とから形成されている。両側部６８には、脚周り開口７１に沿って縦方向へ延びる複数条の脚周り用弾性部材８７が伸縮可能に取り付けられている。脚周り用弾性部材８７は、裏面シート６１を形成する不織布の間に介在し、所定の倍率に伸長された状態でそれら不織布に接合されている。
【００３４】
脚周り用弾性部材８７は、股下域６４の側に位置する前胴周り域６３の側部６８ａから股下域６４の第１前半分８０に延びる脚周り第１弾性部材８８と、股下域６４の側に位置する後胴周り域６５の側部６８ｇから股下域６４の後半分７５を通って第４前半分８３に延びる脚周り第２弾性部材８９とから形成されている。第１弾性部材８８は、横中心線７２と並行するように横方向へ延在しつつ、前胴周り域６３から股下域６４に向かうにつれて縦中心線７３へ次第に接近している。前胴周り域６３に延びる第１弾性部材８８は第１分割線７６と略平行し、第１前半分８０に延びる第１弾性部材８８は縦中心線７３に向かうにつれて横方向内側へ緩やかに弧を画いている。第１前半分８０に位置する第１弾性部材８８の内端部９０は、後記するコア９３の側縁１２４の内側に延出している。第２弾性部材８９は、横中心線７２と略直交するように（縦中心線７３と略並行するように）縦方向へ延在しつつ、後胴周り域６５から股下域６４に向かうにつれて縦中心線７３へ次第に接近している。第１および第２弾性部材８８，８９は、股下域６４の第２および第３前半分８１，８２に存在しない。
【００３５】
パネル６２は、肌当接面の側に位置する透液性表面シート９１と、肌非当接面の側に位置する不透液性第２裏面シート９２と、表裏面シート９１，９２の間に介在する吸液性コア９３とから形成されている。パネル６２は、その平面形状が縦方向へ長い略矩形であり、前後端部６６，６７を除いた前後胴周り域６３，６５と股下域６４とに配置されている。パネル６２は、前胴周り域６３に位置する前域９４および股下域６４に位置する中間域９５と、後胴周り域６５に位置する後域９６とを有し、前後域９４，９６に横方向へ延びる前後端部９７，９８と、前後域９４，９６間に縦方向へ延びる両側部９９とを有する。パネル６２では、それを形成する第２裏面シート９２の外面が第１裏面シート６１の内面に固着されている。表面シート９１には、親水性繊維不織布が使用されている。裏面シート９２には、疎水性繊維不織布、または、無機物微細粒子を含有する通気不透液性の延伸プラスチックフィルムが使用されている。コア９３は、図１の物品６０のそれと同一の混合物であり、全体がティッシュペーパー（図示せず）に包被されている。コア９３は、ティッシュペーパーを介して表裏面シート９１，９２の内面に接合されている。パネル６２の両側部９９（物品６０の両側部６８）には、横方向へ離間対向して縦方向へ延びる一対の液抵抗性防漏シート１００が取り付けられている。それら防漏シート１００は、前後域９４，９６間に延びる第１防漏シート１０１と、第１防漏シート１０１の横方向外側に隣接配置されて前後域９４，９６間に延びる第２防漏シート１０２とから形成されている。第１および第２防漏シート１０１，１０２には、疎水性繊維不織布が使用されている。この物品６０では、第２防漏シート１０２が特許請求の範囲における防漏シートに相当する。
【００３６】
第１防漏シート１０１は、側部９９に位置して縦方向へ延びる第１固定部１０３と、固定部１０３に並行して縦方向へ延びていて表面シート９１の外面（肌当接面）から上方へ起立性向を有する第１可動部１０４と、可動部１０４の縦方向前方に位置する第１固定前端部１０５と、可動部１０４の縦方向後方に位置する第１固定後端部１０６とから形成されている。固定部１０３は、パネル６２の側部９９（物品６０の側部６８）に固着されている。可動部１０４の上端縁には、縦方向へ延びる１条の伸縮性弾性部材１０７が伸縮可能に取り付けられている。弾性部材１０７は、縦方向へ所定の倍率に伸長させた状態で防漏シート１０１に接合されている。固定前端部１０５は、物品６０の横方向内側へ倒伏し、前域９４に固着されている。固定後端部１０６は、物品６０の横方向内側へ倒伏し、後域９６に固着されている。弾性部材１０７が収縮すると、固定前後端部１０５，１０６の間に延びる可動部１０４が表面シート９１の外面から上方へ起き上がり、可動部１０４が側部９９において物品６０の厚み方向上方へ延びる。可動部１０４は、排泄物の横方向への流動を阻止する障壁を形成する。
【００３７】
第２防漏シート１０２は、側部９９に位置して縦方向へ延びる第２固定部１０８と、固定部１０８に並行して縦方向へ延びていて表面シート９１の外面（肌当接面）から上方へ起立性向を有する第２可動部１０９（伸縮性可動部）と、可動部１０９の縦方向前方に位置する第２固定前端部１１０と、可動部１０９の縦方向後方に位置する第２固定後端部１１１とから形成されている。固定部１０８は、パネル６２の側部９９（物品６０の側部６８）に固着されている。可動部１０９は、表面シート９１の外面から物品６０の厚み方向上方へ延びる起立部分１１２と、起立部分１１２の上端１１３に連なる張出部分１１４とを有する。張出部分１１４は、肌当接面と並行するように起立部分１１２の上端１１３で折れ曲がり、物品６０の横方向外側へ張り出している。張出部分１１４は、可動部１０４と起立部分１１２とに対して略直交している。張出部分１１４には、縦方向へ延びる３条の第１〜第３弾性部材１１５ａ〜１１５ｃ（伸縮性弾性部材）が伸縮可能に取り付けられている。固定前端部１１０は、物品６０の横方向外側へ倒伏し、前域９４に固着されている。固定後端部１１１は、物品６０の横方向外側へ倒伏し、後域９６に固着されている。第２防漏シート１０２では、固定後端部の縦寸法Ｔ１が第１防漏シート１０１の固定後端部１０６の縦寸法Ｔ２よりも長い。換言すれば、物品６０に対する防漏シート１０２の後方における固着縦寸法が防漏シート１０１の後方における固着縦寸法よりも長い。また、可動部１０４の上端縁から下端縁までの寸法は、起立部分１１２の上端縁から下端縁までの寸法よりも長い。
【００３８】
それら弾性部材１１５ａ〜１１５ｃは、横方向へ等間隔で並んでいる。第１弾性部材１１５ａは、張出部分１１４の内端縁１１６（起立部分１１２の直上）に位置している。第２弾性部材１１５ｂは、張出部分１１４の横寸法を二等分した箇所（張出部分１１４の横方向中央）に位置している。第３弾性部材１１５ｃは、張出部分１１４の外端縁１１７に位置している。第１〜第３弾性部材１１５ａ〜１１５ｃは、縦方向へ所定の倍率に伸長された状態で防漏シート１０２に接合されている。なお、それら弾性部材１１５ａ〜１１５ｃをシート１０２に接合するときの弾性部材１１５ａ〜１１５ｃの伸長倍率は全て同一である。弾性部材１１５ａ〜１１５ｃは、その全体が防漏シート１０２に包被されている。弾性部材１１５ａ〜１１５ｃを防漏シート１０２に接合した後、それら弾性部材１１５ａ〜１１５ｃの伸長が解除されることで、弾性部材１１５ａ〜１１５ｃが収縮する。張出部分１１４には、弾性部材１１５ａ〜１１５ｃの収縮によって、縦方向へ一様に起伏を繰り返す規則的な多数の皺１１８が形成されている。防漏シート１０２では、弾性部材１１５ａ〜１１５ｃが収縮すると、可動部１０９が表面シート９１の上方へ起き上がる。可動部１０９のうちの起立部分１１２は、物品６０の厚み方向上方へ延び、表面シート９１の外面から略直立する。可動部１０９のうちの張出部分１１４は、表面シート９１の上方に位置しつつ、起立部分１１２の上端１１３から物品６０の横方向外側へ延びる。可動部１０９は、排泄物の横方向への流動を阻止する障壁を形成する。張出部分１１４に形成されたそれら皺１１８は、その上端１１９から下端１２０までの寸法Ｒが略同一であり、縦方向へ隣り合う皺１１８どうしの縦方向の離隔寸法Ｓが略同一である。張出部分１１４は、そこに形成された多数の皺１１８によって、皺１１８が形成されていない場合と比較し、その剛性が増加する。
【００３９】
パネル６２の前後端部９７，９８は、コア９３の端縁１２１から縦方向外方へ延びる表裏面シート９１，９２の端部１２２，１２３と防漏シート１０１，１０２の端部１０５，１０６，１１０，１１１とから形成されている。前後端部９７，９８では、表裏面シート９１，９２の端部１２２，１２３と防漏シート１０１，１０２の端部１０５，１０６，１１０，１１１とが重なり合い、表裏面シート９１，９２の内面どうしが固着され、表面シート９１の外面と防漏シート１０１の内面とが固着され、さらに、防漏シート１０１，１０２の内外面が固着されている。パネル６２の両側部９９は、コア９３の側縁１２４から横方向外方へ延びる表裏面シート９１，９２の側部１２５，１２６と防漏シート１０１，１０２の固定部１０３，１０８とから形成されている。両側部９９では、表裏面シート９１，９２の側部１２５，１２６と防漏シート１０１，１０２の固定部１０３，１０８とが重なり合い、表裏面シート９１，９２の内面どうしが接合され、表裏面シート９１，９２の内外面と防漏シート１０１の内面とが固着され、さらに、防漏シート１０１，１０２の内外面が固着されている。防漏シート１０１，１０２の固定部１０３，１０８のうちのパネル６２の側部９９から横方向外方へ延長された部分は、側部９９において物品６０の横方向内側へ折り曲げられ、第１裏面シート６１と第２裏面シート９２との間に介在してそれらシート６１，９２の内外面に固着されている。
【００４０】
物品６０を着用するには、胴周り開口７０から脚周り開口７１へ着用者の両脚を通した後、物品６０を着用者の胴部に引き上げる。物品６０を着用すると、厚み方向上方へ延びる第１防漏シート１０１の可動部１０４の上端縁近傍が着用者の肌に線接触し、横方向外側へ張り出す第２防漏シート１０２の張出部分１１４の内面が着用者の肌に面接触する。物品６０では、その着用中に脚周り第１弾性部材８８が横方向へ伸長され、第１弾性部材８８の収縮力が前胴周り域６３と股下域６４の前半分７４とに延びる防漏シート１０１，１０２の第１，２可動部１０４，１０９およびコア９３を着用者の肌に押し当てるように作用する。物品６０では、その着用中に脚周り第２弾性部材８９が縦方向へ伸長され、第２弾性部材８９の収縮力が股下域６４の後半分７５と後胴周り域６５とを物品６０の端部６６，６７に向かって引き上げるように作用する。物品６０の着用中に排泄された排泄物は、表面シート９１を透過してコア９３に吸収保持される。
【００４１】
物品６０は、防漏シート１０２の可動部１０９のうちの表面シート９１の外面から上方へ延びる起立部分１１２が排泄物に対する障壁を形成しつつ、可動部１０９のうちの張出部分１１４が着用者の肌に面接触するから、張出部分１１４全体が着用者の肌に密着し、張出部分１１４と肌との間に隙間が生じることはなく、可動部１０９を利用して両側部６８の外側への排泄物の漏出を阻止することができる。物品６０は、張出部分１１４に縦方向へ起伏を繰り返して並ぶ一様かつ規則的な多数の皺１１８が形成され、それら皺１１８によって張出部分１１４の剛性が増加するから、着用者の体圧が張出部分１１４にかかったとしても、部分１１４が座屈し難く、部分１１４の着用者の肌への密着状態を確実に維持することができる。
【００４２】
物品６０は、横方向外側に倒伏した防漏シート１０２の第２固定後端部１１１の縦寸法Ｔ１が横方向内側へ倒伏した防漏シート１０１の第１固定前後端部１０６のそれよりも長く、第２固定前後端部１１０，１１１の間に延びる第２可動部１０９が表面シート９１の上方に延在しつつ物品６０の横方向外側へ張り出し、可動部１０９が横方向内側へ倒伏することがないから、第１および第２可動部１０４，１０９が互いに当接してそれら可動部１０４，１０９が横方向内側へ倒伏することはなく、それら可動部１０４，１０９を排泄物に対する障壁として確実に機能させることができる。物品６０は、可動部１０４が張出部分１１４と直交するように肌当接面の上方へ延び、可動部１０４の上端縁から下端縁までの寸法が起立部分１１２の上端縁から下端縁までの寸法よりも長いから、可動部１０４が排泄物に対する障壁として確実に機能する。物品６０は、第１可動部１０５が第２可動部１１０とともに排泄物に対する２重の障壁を形成し、両側部６８の外側への排泄物の横漏れを確実に防ぐことができる。
【００４３】
物品６０は、脚周り第１弾性部材８８の内端部９０がコア９３の側縁１２４の内側に位置することで弾性部材８８の収縮力がコア９３に確実に伝わり、物品６０の着用時に脚周り第１弾性部材８８の収縮力によって防漏シート１０１，１０２の可動部１０４，１０９とコア９３とが着用者の肌に押し当てられるから、前胴周り域６３と股下域６４の前半分７４とに延びる可動部１０４，１０９とコア９３とを着用者の肌に密着させることができる。物品６０は、排泄された尿をコア９３に確実に吸収保持させることができるとともに、第１および第２可動部１０４，１０９と着用者の肌との間に隙間が生じることはなく、物品６０の着用中における排泄物の横漏れを確実に防ぐことができる。物品６０は、第１および第２可動部１０４，１０９とが脚周り第１弾性部材８８と交差し、第１弾性部材８８の収縮力がそれら可動部１０４，１０９を縦方向へ縮めることがないから、弾性部材１０７，１１５ａ，１１５ｂ，１１５ｃの収縮によって可動部１０４，１０９が表面シート９１の上方へ容易に起き上がる。物品６０は、その着用中に脚周り第２弾性部材８９の収縮力によって股下域６４の後半分７５と後胴周り域６５とが端部６６，６７に向かって吊り上げられるから、着用中における着用位置からの物品６０のずれ下がりを防ぐことができる。物品６０は、第１および第２弾性部材８８，８９が股下域６４の前半分７４のうちの第２および第３前半分８１，８２に存在しないから、それら弾性部材８８，８９がコア９３を横切る場合と比較し、弾性部材８８，８９の収縮力によってコア９３に不規則な多数の皺が生じることはない。物品６０は、股下域６４に延びるコア９３の液吸収機能が低下することはなく、股下域６４において排泄物をコア９３に確実に吸収保持させることができる。
【００４４】
物品６０では、張出部分１１４の横方向の寸法Ｐが１０〜３０ｍｍの範囲にあり、横方向へ隣り合う弾性部材１１５ａ，１１５ｂ，１１５ｃどうしの該横方向の離隔寸法Ｑが４．０〜９．０ｍｍの範囲にある。寸法Ｐが３０ｍｍを超過すると、横方向外側へ張り出す張出部分１１４が物品６０の厚み方向下方へ倒伏し、張出部分１１４を着用者の肌に面接触させることができず、部分１１４と肌との間に隙間が生じてしまう場合がある。離隔寸法Ｑが９．０ｍｍを超過すると、弾性部材１１５ａ，１１５ｂ，１１５ｃの収縮力を利用して張出部分１１４全体に一様かつ規則的な多数の皺１１８を形成することが難しく、皺１１８を利用して張出部分１１４の剛性を増加させることができない。
【００４５】
物品６０では、皺１１８の上端１１９から下端１２０までの寸法Ｒが１．０〜３．０ｍｍの範囲にある。寸法Ｒが１．０ｍｍ未満では、張出部分１１４に形成される皺１１８が縮緬状かつ不規則となり、部分１１４の剛性を増加させることができない。寸法Ｒが３．０ｍｍを超過すると、張出部分１１４に形成される皺１１８が必要以上に大きくなり、部分１１４の剛性を増加させることができない。物品６０では、縦方向へ隣り合う皺１１８どうしの縦方向の離隔寸法Ｓが０．５〜１．５ｍｍの範囲にある。離隔寸法Ｓが０．５ｍｍ未満では、縦方向へ並ぶ皺１１８が密となり、張出部分１１４の剛性が必要以上に増加し、着用者の肌に接触する張出部分１１４が肌に不快な刺激を与える。離隔寸法Ｓが１．５ｍｍを超過すると、張出部分１１４に形成される皺１１８が必要以上に大きくなり、部分１１４の剛性を増加させることができない。物品６０は、張出部分１１４の縦寸法５０ｍｍの中に形成された皺１１８の個数が１０〜３０個の範囲にある。皺１１８の個数が１０個未満では、張出部分１１４に形成される皺１１８の個数が少なく、部分１１４の剛性を増加させることができない。皺１１８の個数が３０個を超過すると、縦方向へ並ぶ皺１１８が密となり、張出部分１１４の剛性が必要以上に増加し、着用者の肌に接触する張出部分１１４が肌に不快な刺激を与える。物品６０は、皺１１８の上端１１９から下端１２０までの寸法Ｒや縦方向へ隣り合う皺１１８どうしの縦方向の離隔寸法Ｓ、張出部分１１４の縦寸法５０ｍｍの中に形成された皺１１８の個数が前記範囲にあるから、部分１１４の剛性を適度に増加させることができ、物品６０に着用中に部分１１４が座屈し難く、部分１１４を着用者の肌に面接触させることができる。
【００４６】
物品６０では、第１防漏シート１０１全体の縦寸法を１００％とした場合における第１固定後端部１０６の縦寸法Ｔ２の割合が１０％〜２５％の範囲にあり、第２防漏シート１０２全体の縦寸法を１００％とした場合における第２固定後端部１１１の縦寸法Ｔ１の割合が２５％〜３０％の範囲にある。なお、第１防漏シート１０１全体の縦寸法と第２防漏シート１０２全体の縦寸法とは略同一である。第１固定後端部１０６の縦寸法Ｔ２の割合が２５％を超過すると、固定前後端部１０５，１０６間に延びる可動部１０４が表面シート９１の上方へ起き上がり難くなるばかりか、可動部１０４が物品６０の横方向内側へ倒伏し易くなり、可動部１０４が障壁として十分に機能しない場合がある。第２固定後端部１１１の縦寸法Ｔ１の割合が２５％未満では、可動部１０４と同様に可動部１０９が物品６０の厚み方向上方へ延び、可動部１０４，１０９どうしが当接して張出部分１１４を着用者の肌に面接触させることができない。第２固定後端部１１１の縦寸法Ｔ１の割合が３０％を超過すると、可動部１０９が物品６０の肌当接面から上方へ起き上がり難くなるばかりか、可動部１０９が物品６０の横方向外側へ倒伏し易くなり、可動部１０９が障壁として機能しない場合がある。物品６０は、第１固定後端部１０６の縦寸法Ｔ２の割合と第２固定後端部１１１の縦寸法Ｔ１の割合とが前記範囲にあるから、第１固定前後端部１０５，１０６の間に延びる可動部１０４が排泄物に対する障壁として確実に機能するとともに、第２固定前後端部１１０，１１１の間に延びる張出部分１１４が着用者に肌に面接触し、可動部１０９を着用者の肌に密着させることができる。
【００４７】
表面シート２７，９１には、親水性繊維不織布の他に、多数の開孔を有する疎水性繊維不織布を使用することができる。裏面シート２８，６１，９２や防漏シート３２，１０１，１０２には、通気不透液性プラスチックフィルムを使用することもでき、通気不透液性プラスチックフィルムと疎水性繊維不織布とをラミネートした複合シートを使用することもできる。裏面シート２８，６１，９２や防漏シート３２，１０１，１０２には、高い耐水性を有するメルトブローン法による繊維不織布の少なくとも片面に、高い強度と良好な柔軟性とを有するスパンボンド法による繊維不織布をラミネートした複合不織布（ＳＭ不織布、ＳＭＳ不織布）を使用することもできる。
【００４８】
繊維不織布には、スパンレース、ニードルパンチ、メルトブローン、サーマルボンド、スパンポンド、ケミカルボンドの各製法により製造された不織布を使用することができる。親水性繊維不織布は、親水化処理が施された合成繊維、半合成繊維、再生繊維のうちのいずれか、または、それら繊維を混合した複合繊維から作ることができる。疎水性繊維不織布は、合成繊維から作ることができる。疎水性繊維不織布には、撥水処理が施された半合成繊維や再生繊維が含まれていてもよい。合成繊維には、特に限定はないが、ポリエステル系、ポリアクリロニトリル系、ポリ塩化ビニル系、ポリエチレン系、ポリプロピレン系、ポリスチレン系を使用することができる。合成繊維には、芯鞘型複合繊維、並列型複合繊維、異型中空繊維、微多孔繊維、接合型複合繊維を使用することもできる。胴周り用弾性部材３０，８５や脚周り用弾性部材３１，８７、弾性部材４２ａ〜４２ｅ，１１５ａ〜１１５ｃには、天然ゴムまたは合成ゴムが使用されている。
【００４９】
シート２７，２８，３２，６１，９１，９２，１０１，１０２どうしの固着やシート２７，２８，９１，９２に対するコア２９，９３の接合、シート２７，２８，３２，６１，９１，９２，１０１，１０２に対する弾性部材３０，８５，３１，８７，４２ａ〜４２ｅ，１１５ａ〜１１５ｃの接合には、接着剤を使用することができる。接着剤は、シート２７，２８，３２，６１，９１，９２，１０１，１０２にスパイラル状や波状、ジグザグ状、ドット状、縞状のうちのいずれかの態様で塗布されていることが好ましい。接着剤をそれらの態様でシート２７，２８，３２，６１，９１，９２，１０１，１０２に塗布すると、それらシート２７，２８，３２，６１，９１，９２，１０１，１０２どうしが断続的に接合され、コア２９，９３がシート２７，２８，９１，９２に断続的に接合されるとともに、弾性部材３０，８５，３１，８７，４２ａ〜４２ｅ，１１５ａ〜１１５ｃがシート２７，２８，３２，６１，９１，９２，１０１，１０２に断続的に固着される。接着剤には、ホットメルト型接着剤やアクリル系接着剤、ゴム系接着剤のいずれかを使用することができる。
【図面の簡単な説明】
【００５０】
【図１】一例として示す着用物品の斜視図。
【図２】図１の２−２線矢視断面図。
【図３】図１の３−３線矢視断面図。
【図４】防漏シートの一部を拡大して示す部分拡大図。
【図５】図４の５−５線端面図。
【図６】他の一例として示す使い捨て着用物品の部分破断斜視図。
【図７】前後胴周り域の連結を解除した状態で示す図６の物品の展開平面図。
【図８】図６の８−８線矢視断面図。
【図９】図６の９−９線矢視断面図。
【図１０】防漏シートの一部を拡大して示す部分拡大図。
【図１１】図１０の１１−１１線端面図。
【符号の説明】
【００５１】
２０          使い捨て着用物品
２１          前胴周り域
２２          股下域
２３          後胴周り域
２４          前端部
２５          後端部
２６          両側部
２７          透液性表面シート
２８          不透液性裏面シート
２９          吸液性コア
３２          液抵抗性防漏シート
３３          固定部
３４          可動部（伸縮性可動部）
３５          固定前端部
３６          固定後端部
３７          起立部分
３８          張出部分
４０          第１張出部分
４１          第２張出部分
４２ａ        第１弾性部材（伸縮性弾性部材）
４２ｂ        第２弾性部材（伸縮性弾性部材）
４２ｃ        第３弾性部材（伸縮性弾性部材）
４２ｄ        第４弾性部材（伸縮性弾性部材）
４２ｅ        第５弾性部材（伸縮性弾性部材）
４５          皺
４６          上端
４７          下端
６０          使い捨て着用物品
６１          不透液性第１裏面シート
６２          インアーパネル
６３          前胴周り域
６４          股下域
６５          後胴周り域
６６          前端部
６７          後端部
６８          両側部
９１          透液性表面シート
９２          不透液性裏面シート
９３          吸液性コア
９９          両側部
１００        液抵抗性防漏シート
１０１        第１防漏シート
１０２        第２防漏シート
１０３        第１固定部
１０４        第１可動部
１０５        第１固定前端部
１０６        第１固定後端部
１０７        伸縮性弾性部材
１０８        第２固定部
１０９        第２可動部
１１０        第２固定前端部
１１１        第２固定後端部
１１２        起立部分
１１４        張出部分
１１５ａ      第１弾性部材（伸縮性弾性部材）
１１５ｂ      第２弾性部材（伸縮性弾性部材）
１１５ｃ      第３弾性部材（伸縮性弾性部材）
１１８        皺
１１９        上端
１２０        下端
【図１】
2006247272.tif 000003
【図２】
2006247272.tif 000004
【図３】
2006247272.tif 000005
【図４】
2006247272.tif 000006
【図５】
2006247272.tif 000007
【図６】
2006247272.tif 000008
【図７】
2006247272.tif 000009
【図８】
2006247272.tif 000010
【図９】
2006247272.tif 000011
【図１０】
2006247272.tif 000012
【図１１】
2006247272.tif 000013